(57)【要約】【課題】適切な張力を維持しながら、ロールに高精度且つ容易にスタンパーを巻き付けることができるスタンパーロールを提供する。【解決手段】スタンパーロール１０では、ロール１２の固定溝１８において、スタンパー１１の両方の端部２２ａ、２２ｂが重ねあわされる。この重ねあわされた部分は、上側スタンパー固定用具１３と下側スタンパー固定用具１４で挟みつけられる。さらに、重ねあわされた部分の２つの側部は、上側スタンパー固定用具１３の凸部１３ａと下側スタンパー固定用具１４の凹部１４ａにより押圧固定される。【選択図】図３
2019155813.tif 000002
【特許請求の範囲】
【請求項１】
スタンパーと、
前記スタンパーが取り付けられるとともに固定溝を有するロールと、
２つの第１凹凸形状を有する上側スタンパー固定用具と、
２つの第２凹凸形状を有する下側スタンパー固定用具とを備え、
前記固定溝において、前記下側スタンパー固定用具に、前記スタンパーの第１端部及び第２端部並びに前記上側スタンパー固定用具が積層し、
一方の前記第１凹凸形状と一方の前記第２凹凸形状は、前記スタンパーの前記第１端部に隣接する部分を押圧固定し、
他方の前記第１凹凸形状と他方の前記第２凹凸形状は、前記スタンパーの前記第２端部に隣接する部分を押圧固定していることを特徴とするスタンパーロール。
【請求項２】
前記上側スタンパー固定用具、前記スタンパー及び前記下側スタンパー固定用具は、それぞれ、ネジ穴又は貫通孔を備え、ネジにより前記ロールに固定されていていることを特徴とする請求項１に記載のスタンパーロール。
【請求項３】
前記下側スタンパー固定用具と前記固定溝の底面との間にスペーサを備えていることを特徴とする請求項１又は２に記載のスタンパーロール。
【発明の詳細な説明】
【技術分野】
【０００１】
本発明は、スタンパーと、スタンパーを巻きつけるロールとを備えたスタンパーロールに関する。
【背景技術】
【０００２】
表面に微細な凹凸パターンを有すフレキシブルスタンパーをロール上に固定したスタンパーロールが知られている。例えば、特許文献１には、スタンパーと、スタンパーを巻き付けて固定するロールとを備え、スタンパーとロールの間に厚み方向に膨張する層が設けられたスタンパーロールが示されている。
【０００３】
特許文献１に示された図７及び図１を、それぞれ本願の図６及び図７として引用する。図６は、従来例として示すスタンパー１の平面図であり、図７は、スタンパー１がとり付けられたスタンパーロール６の断面図である。なお、転記にあたり一部の符号を変更した。図６に示すように、スタンパー１には凹凸プリフォーマットパターン７が形成され、両端にスタンパー固定用具２が設けられている。図７に示すように、スタンパーロール６は、スタンパー１とロール３とを備えている。スタンパーロール６において、スタンパー１は、熱によって厚み方向に膨張する熱膨張層５を介してロール３に巻き付けられるとともに、固定用具２をスタンパー固定溝４に嵌挿しネジ止めすることにより、ロール３に固定されている。
【先行技術文献】
【特許文献】
【０００４】
【特許文献１】特開平８−１０６６５７号公報（図１、図７）
【発明の概要】
【発明が解決しようとする課題】
【０００５】
しかしながら、特許文献１に示されたスタンパーロール６において、スタンパー１は、被加工物が接する部分だけが高温になり、全体が均一な温度になるわけではない。つまり、スタンパー１は、熱の掛り方により熱膨張層５の膨張量が時間的及び位置的に変化するため、スタンパー１の張力が不均一になり安定しないことから、緩み又は破壊の恐れがある。また、スタンパーロール６は、熱膨張で円周が変化する範囲内で精度よくスタンパー１をロール３に巻き付けなければならないことが要請されている。
【０００６】
そこで、本発明は、上記課題に鑑みて為されたものであり、適切な張力を維持しながら、ロールに高精度且つ容易にスタンパーを巻き付けることができるスタンパーロールを提供することを目的とする。
【課題を解決するための手段】
【０００７】
上記課題を解決するため、本発明のスタンパーロールは、スタンパーと、前記スタンパーが取り付けられるとともに固定溝を有するロールと、２つの第１凹凸形状を有する上側スタンパー固定用具と、２つの第２凹凸形状を有する下側スタンパー固定用具とを備え、前記固定溝において、前記下側スタンパー固定用具に、前記スタンパーの第１端部及び第２端部並びに前記上側スタンパー固定用具が積層し、一方の前記第１凹凸形状と一方の前記第２凹凸形状は、前記スタンパーの前記第１端部に隣接する部分を押圧固定し、他方の前記第１凹凸形状と他方の前記第２凹凸形状は、前記スタンパーの前記第２端部に隣接する部分を押圧固定していることを特徴とする。
【０００８】
本発明のスタンパーロールでは、ロールの固定溝において、スタンパーの両端が重ねあわされている。この重ねあわされた部分は、上側スタンパー固定用具と下側スタンパー固定用具で挟みつけられている。さらに、スタンパーを重ねあわせた部分の２つの側部（隣接する部分）は、上側スタンパー固定用具の凹凸形状と下側スタンパー固定用具の凹凸形状により押圧固定されている。
【０００９】
前記上側スタンパー固定用具、前記スタンパー及び前記下側スタンパー固定用具は、それぞれ、ネジ穴又は貫通孔を備え、ネジにより前記ロールに固定されていても良い。
【００１０】
前記下側スタンパー固定用具と前記固定溝の底面との間にスペーサを備えていても良い。
【発明の効果】
【００１１】
以上のように、本発明のスタンパーロールは、ロールの固定溝において、スタンパーの重ねあわせた部分を上側及び下側スタンパー固定用具により挟みつけている。この状態で、上側及び下側スタンパー固定用具の凹凸形状によりスタンパーに張力を与えながら、スタンパーをロールにしっかり固定している。この結果、本発明のスタンパーロールは、適切な張力を維持しながら、ロールに高精度且つ容易にスタンパーを巻き付けることができる。
【図面の簡単な説明】
【００１２】
【図１】本発明の実施形態として示すスタンパーロールの分解斜視図である。
【図２】図１に示すスタンパーロールの正面図である。
【図３】図２の拡大図である。
【図４】図１に示すスタンパーロールの平面図である。
【図５】図１に示すスタンパーロールに含まれるスタンパーの展開図である。
【図６】従来例として示すスタンパーロールに含まれるスタンパーの平面図である。
【図７】従来例として示すスタンパーロールの断面図である。
【発明を実施するための形態】
【００１３】
以下、図１〜５を参照しながら本発明の好適な実施形態について詳細に説明する。なお、図面の説明において、同一又は相当要素には同一の符号を付し、重複する説明は省略する。（）には、特許請求の範囲に記載した発明特定事項を示す。
【００１４】
図１は、本発明の実施形態として示すスタンパーロール１０の分解斜視図である。図１に示すように、スタンパーロール１０は、スタンパー１１、ロール１２、上側スタンパー固定用具１３、下側スタンパー固定用具１４、カバー１５及びスペーサ１９を備えている。なお、スタンパー１１については、重ねあわされた部分である端部２２ａ、２２ｂ（第１端部及び第２端部）及びその側部（第１端部に隣接する部分及び第２端部に隣接する部分）だけを描いている。また、カバー１５をロール１２に取り付けるためのネジ１７及びネジ穴１２ｃは図示していない。
【００１５】
図１に示すように、スタンパーロール１０では、上側スタンパー固定用具１３、下側スタンパー固定用具１４及びスペーサ１９がロール１２の固定溝１８に嵌め込まれる。このとき、スタンパー１１の端部２２ａ、２２ｂが上側スタンパー固定用具１３と下側スタンパー固定用具１４に挟み込まれる。なお、上側スタンパー固定用具１３、スタンパー１１、下側スタンパー固定用具１４及びスペーサ１９には、ネジ穴１３ｂ、貫通孔２１ａ、２１ｂ、ネジ穴１４ｂ、１９ｂが設けられている。カバー１５をロール１２に組み付けると円筒形になる。
【００１６】
図２は、スタンパーロール１０の正面図である。なお、図２では、上側スタンパー固定用具１３及び下側スタンパー固定用具１４をロール１２に固定するネジ１６、並びにカバー１５をロール１２に固定するネジ１７を点線で示している。図２に示すように、スタンパー１１のカバー１５から露出した部分は、ロール１２に巻き付いている。スタンパー１１の他の部分は、前述のように、端部２２ａ、２２ｂ（図１参照）およびその側部が上側スタンパー固定用具１３及び下側スタンパー固定用具１４に挟まれており、残りの部分がロール１２の面１２ａとカバー１５に挟まれている。
【００１７】
図３は、図２のＢで示した部分の拡大図である。図３に示すように、スぺーサ１９、下側スタンパー固定用具１４、スタンパー１１及び上側スタンパー固定用具１３は、固定溝１８の底面に対し順に積層し、ネジ１６でロール１２に固定されている。なお、スタンパー１１は、一方の端部２２ａ（第１端部）と他方の端部２２ｂ（第２端部）が重なりあい、この重なりあった部分が上側スタンパー固定用具１３と下側スタンパー固定用具１４に挟みつけられている。上側スタンパー固定用具１３は、下に向かう２つの凸部１３ａ（第１凹凸形状）を有する。下側スタンパー固定用具１４は、凸部１３ａに当接するように形成された２つの凹部１４ａ（第２凹凸形状）を有する。
【００１８】
前述のように、上側スタンパー固定用具１３、下側スタンパー固定用具１４及びスペーサ１９は、ロール１２の固定溝１８に嵌め込まれ、ネジ１６によりロール１２に固定される。このとき、スタンパー１１は、凸部１３ａと凹部１４ａにより強く固定されている。なお、上側スタンパー固定用具１３、下側スタンパー固定用具１４、スペーサ１９及びロール１２には、それぞれ、段差を有するネジ穴１３ｂ、円筒形のネジ穴１４ｂ、１９ｂ及びタップが切られたネジ穴１２ｂが形成されている。
【００１９】
図４は、図１に示したスタンパーロール１０について、カバー１５を取り外した状態の平面図である。図４に示すように、ロール１２の上部からは、上側スタンパー固定用具１３及びそのネジ穴１３ｂ、カバー１５をロール１２に固定するネジ１７（図２参照）を通すためスタンパー１１に形成された貫通孔２３ａ、２３ｂ、スタンパー１１に形成され微細な凹凸からなるパターンエリア２４、及びカバー１５と対向するロール１２の面１２ａが設けられている。また、上側スタンパー固定用具１３のネジ穴１３ｂの内側には、ネジ１６の頭部、及びスタンパー１１の貫通孔２３ａ、２３ｂの内側には、カバー１５を取り付けるためロール１２に形成したネジ穴１２ｃが設けられている。
【００２０】
図５は、スタンパーロール１０に含まれるスタンパー１１の展開図である。スタンパー１１は、厚さが０．２ｍｍで、ＳＵＳ材からなる平板状のシートである。スタンパー１１の右側の端部２２ａ（第１端部）には、ネジ１６（図２参照）を通すための貫通孔２１ａが開けられ、端部２２に隣接する部分には、ネジ１７（図２参照）を通すための貫通孔２３ａが開けられている。同様に、スタンパー１１の左側の端部２２ｂ（第２端部）には、ネジ１６を通すための貫通孔２１ｂが開けられ、隣接する部分には、ネジ１７を通すための貫通孔２３ｂが開けられている。スタンパー１１の中央部には、微細な凹凸からなるパターンエリア２４が形成されている。
【００２１】
以上のように、スタンパーロール１０は、ロール１２の固定溝１８において、スタンパー１１の端部２２ａ、２２ｂ同士を重ねあわせ、この重ねあわせた部分を、上側スタンパー固定用具１３と下側スタンパー固定用具１４で挟みつけている。この状態から、重ねあわせた部分の側部全体に亘って、上側スタンパー固定用具１３の凸部１３ａと下側スタンパー固定用具１４の凹部１４ａによりスタンパー１１をしっかり固定する。このとき、スタンパー１１には、張力が与えられる。張力の大きさはスペーサ１９の厚さで調整できる。
【００２２】
すなわち、スタンパーロール１０は、スタンパー１１の端部２２ａ、２２ｂを、重ねあわせた状態で上側スタンパー固定用具１３と下側スタンパー固定用具１４で挟みつけ、ズレを防止しながら、張力を与える前に確実に固定することにより、高い精度でスタンパー１１をロール１２に位置合わせすることができる。さらに、上側及び下側スタンパー固定用具１３、１４の凸部１３ａ及び凹部１４ａにより、端部２２ａ、２２ｂの側部全体を押すことから、スタンパー１１に均一で適切な張力を与えられる。この結果、スタンパーロール１０は、適切な張力を維持しながら、ロール１２に高精度且つ容易にスタンパー１１を巻き付けることができる。
【００２３】
なお、スタンパーロール１０では、スタンパー１１の端部２２ａ、２２ｂに貫通孔２１ａ、２１ｂを設け、上側スタンパー固定用具１３と下側スタンパー固定用具１４をロール１２にネジ１６で固定していた。しかしながら、上側スタンパー固定用具１３と下側スタンパー固定用具１４の固定方法はネジ１６に限られず、例えば、位置決めピンを使っても良い。なお、スタンパーロール１０では、上側スタンパー固定用具１３の凸部１３ａと下側スタンパー固定用具１４の凹部１４ａによりスタンパー１１を強く固定しているので、スタンパー１１に張力が存在するにもかかわらず、貫通孔２１ａ、２１ｂ及びネジ１６にはほとんど張力が掛からない。
【００２４】
なお、スタンパーロール１０では、上側スタンパー固定用具１３に凸部１３ａ、下側スタンパー固定用具１４に凹部１４ａを設けていた。しかしながら、第１凹凸形状として、上側スタンパー固定用具１３に凹部、第２凹凸形状として、下側スタンパー固定用具１４に凸部を設け、それぞれが当接するようにしても良い。また、スペーサ１９の代わりに下側スタンパー固定用具１４と固定溝１８の底面の間にバネを配置し、ネジ１７のトルクで張力を調整しても良い。張力を微調する必要がなければスペーサ１９を省略できる。
【符号の説明】
【００２５】
１０…スタンパーロール、
１１…スタンパー、
１２…ロール、
１２ａ…面、
１２ｂ、１２ｃ、１３ｂ、１４ｂ、１９ｂ…ネジ穴、
１３…上側スタンパー固定用具、
１３ａ…凸部（第１凹凸形状）、
１４…下側スタンパー固定用具、
１４ａ…凹部（第２凹凸形状）、
１５…カバー、
１６、１７…ネジ、
１８…固定溝、
１９…スペーサ、
２１ａ、２１ｂ、２３ａ、２３ｂ…貫通孔、
２２ａ、２２ｂ…端部（第１端部、第２端部）、
２４…パターンエリア。
【図１】
2019155813.tif 000003
【図２】
2019155813.tif 000004
【図３】
2019155813.tif 000005
【図４】
2019155813.tif 000006
【図５】
2019155813.tif 000007
【図６】
2019155813.tif 000008
【図７】
2019155813.tif 000009